(57)【要約】【課題】操作に差し障りのない位置にパッドを位置決めすることができる電子機器を提供する。【解決手段】第２筐体１５は回転軸２３回りで回転自在に第１筐体１４に連結される。第１筐体１４の表面には第２筐体１５の回転動作に連動して変位する弾性パッド２５が露出する。こういった電子機器１１では、第２筐体１５は回転動作前の第１姿勢と回転動作後の第２姿勢とで姿勢を変化させる。第１姿勢の第２筐体１５に対して弾性パッド２５は差し障りのない位置に位置決めされることができる。すなわち、弾性パッド２５は電子機器１１の操作に差し障りのない位置に位置決めされることができる。第２筐体１５が第１姿勢から第２姿勢に至ると、第２姿勢の第２筐体１５に対して最適な位置に弾性パッド２５は移動することができる。こういった変位に基づき弾性パッド２５の利用範囲は拡大する。【選択図】図３
2006157312.tif 000002
【特許請求の範囲】
【請求項１】
第１筐体と、回転軸回りで回転自在に第１筐体に連結される第２筐体と、第１筐体の表面で露出し、第２筐体の回転動作に連動して変位する弾性パッドとを備えることを特徴とする電子機器。
【請求項２】
請求項１に記載の電子機器において、前記第２筐体の表面に組み込まれて、平坦な表示画面を露出させる平面ディスプレイパネルと、前記第２筐体の裏面に形成されて、湾曲面で構成される化粧面と、前記回転軸を含む１平面に直交する直立軸回りで前記第１筐体に対して前記第２筐体を回転させる直立軸回り回転機構と、前記第１筐体に組み込まれて、前記第２筐体の裏面を検出するセンサと、センサで前記第２筐体の裏面が検出されると、前記弾性パッドの高さを増大させる駆動機構とを備えることを特徴とする電子機器。
【発明の詳細な説明】
【技術分野】
【０００１】
本発明は、例えば携帯電話端末装置といった電子機器に関し、特に、折り畳み式の携帯電話端末装置に関する。
【背景技術】
【０００２】
例えば特許文献２に開示されるように、折り畳み式の携帯電話端末装置は広く知られる。こうした携帯電話端末装置は、機器本体と、回転軸回りの回転および直立軸回りで回転自在に機器本体に連結されるディスプレイ用筐体とを備える。回転軸は機器本体の表面に平行に規定される。直立軸は、回転軸を含む１平面に直交する。ディスプレイ用筐体の表面には液晶ディスプレイパネルが組み込まれる。携帯電話端末装置が折り畳まれると、ディスプレイ用筐体の表面は機器本体上に重ね合わせられる。
【０００３】
機器本体の表面には弾性パッドが固定される。弾性パッドは機器本体の表面から所定の高さで突き出る。ディスプレイ用筐体が回転軸回りの回転動作に基づき機器本体上に重ね合わせられると、弾性パッドはディスプレイ用筐体の表面を受け止める。こうして機器本体とディスプレイ用筐体との衝突は回避される。機器本体やディスプレイ用筐体の傷つきは阻止される。
【特許文献１】特開２００１−５４１５５号公報
【特許文献２】特開２００２−３１０１３４号公報
【発明の開示】
【発明が解決しようとする課題】
【０００４】
ディスプレイ用筐体の裏面には化粧面が形成される。携帯電話端末装置では化粧面が機器本体上に重ね合わせられることができる。この重ね合わせに先立って、ディスプレイ用筐体は直立軸回りで機器本体に対して回転する。このとき、化粧面が湾曲面で構成されると、化粧面は弾性パッドよりも先に機器本体に衝突してしまう。衝突の回避にあたってパッドは機器本体の表面から大きく突き出なければならない。しかしながら、弾性パッドが大きく突き出すと、弾性パッドは使用者の操作を邪魔してしまう。
【０００５】
本発明は、上記実状に鑑みてなされたもので、操作に差し障りのない位置にパッドを位置決めすることができる電子機器を提供することを目的とする。
【課題を解決するための手段】
【０００６】
上記目的を達成するために、本発明によれば、第１筐体と、回転軸回りで回転自在に第１筐体に連結される第２筐体と、第１筐体の表面で露出し、第２筐体の回転動作に連動して変位する弾性パッドとを備えることを特徴とする電子機器が提供される。
【０００７】
こういった電子機器では、第２筐体は回転動作前の第１姿勢と回転動作後の第２姿勢とで姿勢を変化させる。第１姿勢の第２筐体に対して弾性パッドは差し障りのない位置に位置決めされることができる。すなわち、弾性パッドは電子機器の操作に差し障りのない位置に位置決めされることができる。第２筐体が第１姿勢から第２姿勢に至ると、第２姿勢の第２筐体に対して最適な位置に弾性パッドは移動することができる。こういった変位に基づき弾性パッドの利用範囲は拡大する。
【０００８】
電子機器は、第２筐体の表面に組み込まれて、平坦な表示画面を露出させる平面ディスプレイパネルと、第２筐体の裏面に形成されて、湾曲面で構成される化粧面と、回転軸を含む１平面に直交する直立軸回りで第１筐体に対して第２筐体を回転させる直立軸回り回転機構と、第１筐体に組み込まれて、第２筐体の裏面を検出するセンサと、センサで第２筐体の裏面が検出されると、弾性パッドの高さを増大させる駆動機構とを備えてもよい。
【０００９】
こういった電子機器では、直立軸回りの回転に応じて、第２筐体はその表面で第１筐体に重ね合わせられることができると同時にその裏面で第１筐体に重ね合わせられることができる。第２筐体の表面は平坦面で構成されることから、第２筐体の表面が第１筐体に重ね合わせられると、弾性パッドは最低限の高さで十分に第２筐体の表面を受け止めることができる。その一方で、第２筐体の裏面が第１筐体に重ね合わせられると、センサの働きに応じて駆動機構は弾性パッドの高さを増大させる。その結果、化粧面は確実に弾性パッドに受け止められる。このとき、化粧面と第１筐体との衝突は確実に防止されることができる。化粧面の傷つきは阻止される。しかも、化粧面は湾曲面で構成される。こうした化粧面によれば、電子機器の見映えは向上する。その上、第２筐体の容積はこれまで以上に低減されることができる。第２筐体すなわち電子機器の小型化は実現されることができる。
【発明の効果】
【００１０】
以上のように本発明によれば、操作に差し障りのない位置にパッドを位置決めすることができる電子機器が提供されることができる。
【発明を実施するための最良の形態】
【００１１】
以下、添付図面を参照しつつ本発明の一実施形態を説明する。
【００１２】
図１は、本発明の第１実施形態に係る電子機器すなわち折り畳み式の携帯電話端末装置１１の外観を概略的に示す。この携帯電話端末装置１１は送話器１２と受話器１３とを備える。送話器１２は第１筐体すなわち本体筐体１４を備える。本体筐体１４の表面は平坦面で構成される。受話器１３は第２筐体すなわちディスプレイ用筐体１５を備える。ディスプレイ用筐体１５の表面は平坦面で構成される。本体筐体１４やディスプレイ用筐体１５は例えば強化樹脂材料から成形されればよい。
【００１３】
本体筐体１４内にはプリント基板（図示されず）が組み込まれる。周知の通り、プリント基板には例えばＣＰＵ（中央演算処理装置）やメモリといった処理回路が実装される。送話器１２の表面にはオンフックボタンやオフフックボタン、ダイヤルキーといった入力ボタン１６が埋め込まれる。入力ボタン１６の操作に応じてＣＰＵは様々な処理を実行する。
【００１４】
ディスプレイ用筐体１５の表面には液晶ディスプレイ（ＬＣＤ）パネル１７といった平面ディスプレイパネルが組み込まれる。ディスプレイ用筐体１５の表面にはディスプレイ用開口１８が区画される。ＬＣＤパネル１７はディスプレイ用開口１８内に平坦な表示画面を露出させる。ＬＣＤパネル１７の表示画面にはＣＰＵの処理動作に応じて様々なテキストやグラフィックが表示される。
【００１５】
本体筐体１４の表面には送話口１９が区画される。送話口１９内にはマイクが組み込まれる。その一方で、ディスプレイ用筐体１５の表面には受話口２１が区画される。受話口２１内にはスピーカが組み込まれる。通話時、携帯電話端末装置１１の使用者はマイクから音声を入力する。スピーカは通話相手の音声を再生する。
【００１６】
本体筐体１４内にはカメラ（図示されず）が組み込まれる。このカメラは本体筐体１４の裏面から露出するカメラレンズを備える。本体筐体１４の側面にはシャッターボタン（図示されず）が組み込まれる。このシャッターボタンが押し下げられると、カメラのシャッターは切られる。
【００１７】
送話器１２と受話器１３とは二軸回り回転機構２２（以下、「回転機構」）で相互に連結される。この回転機構２２は、回転軸２３回りおよび直立軸２４回りで本体筐体１４に対してディスプレイ用筐体１５を回転させる。回転軸２３は、本体筐体１４の表面の一端でその表面に平行に規定される。直立軸２４は、回転軸２３を含む１平面に直交する。すなわち、直立軸２４は回転軸２３に直交する。
【００１８】
こうした回転機構２２に基づきディスプレイ用筐体１５は例えば１６０度の相対回転角で本体筐体１４に対して回転軸２３回りで回転することができる。同時に、直立軸２４は回転軸２３回りで回転する。その一方で、ディスプレイ用筐体１５は直立軸２４回りで１８０度の相対回転角で本体筐体１４に対して回転することができる。
【００１９】
本体筐体１４の表面には例えば１対の弾性パッド２５、２５が露出する。弾性パッド２５は、回転軸２３回りで回転するディスプレイ用筐体１５の表面を受け止める。こうした弾性パッド２５は、ディスプレイ用筐体１４の回転動作に連動して変位する。ここでは、弾性パッド２５は、例えば本体筐体１４の表面に直交する方向に変位することができる。弾性パッド２５には例えばゴムといった弾性伸縮部材が用いられればよい。
【００２０】
本体筐体１４の表面にはその表面から露出する例えば１対の突片２６、２６が組み込まれる。突片２６は本発明のセンサとして機能する。突片２６は、弾性パッド２５と同様に、例えば本体筐体１４の表面に直交する方向に変位することができる。その一方で、ディスプレイ用筐体１５の表面には例えば１対の窪み２７、２７が形成される。窪み２７は突片２６の外形よりも大きく形成されればよい。ディスプレイ用筐体１５が回転軸２３回りで回転すると、窪み２７は突片２６を受け入れることができる。
【００２１】
図２に示されるように、本体筐体１４内には駆動機構２８が組み込まれる。この駆動機構２８は、水平軸２９から第１方向に延びる第１腕部材３１と、同じく水平軸２９から第１方向に反対向きの第２方向に延びる第２腕部材３２とを備える。水平軸２９並びに第１および第２腕部材２９、３１は一体化される。水平軸２９並びに第１および第２腕部材２９、３１は例えばアルミニウムといった金属材料や強化樹脂材料から構成されればよい。水平軸２９は支持部材３３に回転自在に支持される。支持部材３３は例えば本体筐体１４の内壁に固定されればよい。支持部材３１は例えば強化樹脂材料から形成されてもよく、金属材料から形成されてもよい。
【００２２】
図３から明らかなように、第１腕部材３１の先端は弾性パッド２５の下端を受け止める。第２腕部材３２の先端は突片２６の下端を受け止める。第２腕部材３２の先端には筐体本体１４の内壁との間に弾性伸縮部材すなわちコイルばね３４が配置される。コイルばね３４は、突片２６を押し上げる弾性力を発揮する。突片２６が筐体本体１４の内部空間に向かって押し下げられると、弾性パッド２５は押し上げられる。こうして弾性パッド２５の高さは増大する。コイルばね３４は収縮する。コイルばね３４に弾性力は蓄積される。コイルばね３４の弾性力が解放されると、突片２６は押し上げられる。弾性パッド２５は筐体本体１４の内部空間に向かって下降する。
【００２３】
ここで、ディスプレイ用筐体１５が回転動作前の第１姿勢をとると、図１に示されるように、本体筐体１４の表面およびディスプレイ用筐体１５の表面はともに正面を向く。図３に示されるように、弾性パッド２５は、コイルばね３４の働きで突片２６は本体筐体１４の表面に対して所定の高さに位置決めされる。ここでは、突片２６は最大高さに位置決めされる。同様に、本体筐体１４の表面に対して所定の高さに位置決めされる。ここでは、弾性パッド２５は最小高さに位置決めされる。
【００２４】
この第１姿勢から回転軸２３回りでディスプレイ用筐体１５が１６０度の相対回転角で本体筐体１４に対して回転すると、図４に示されるように、ディスプレイ用筐体１５は回転動作後の第２姿勢に至る。第２姿勢では、ディスプレイ用筐体１５の表面は本体筐体１４の表面に重ね合わせられる。こうして携帯電話端末装置１１は折り畳まれる。
【００２５】
このとき、突片２６はディスプレイ用筐体１５の窪み２７に受け入れられる。コイルばね３４の働きで突片２６の最大高さは維持される。弾性パッド２５は最小高さに位置決めされる。図５に示されるように、ディスプレイ用筐体１５の表面は弾性パッド２５に受け止められる。本体筐体１４およびディスプレイ用筐体１５の間には所定の隙間が維持される。本体筐体１４の表面およびディスプレイ用筐体１５の表面すなわち平坦面同士は相互に平行に向き合わせられる。携帯電話端末装置１１の操作性は損なわれない。
【００２６】
図５から明らかなように、ディスプレイ用筐体１５の裏面には湾曲面で構成される化粧面１５ａが形成される。第２姿勢のディスプレイ用筐体１５では、化粧面１５ａは、回転機構２２に連結される一端から他端に向かって徐々に本体筐体１４の表面に近づく。こうして化粧面１５ａが湾曲面で構成されれば、携帯電話端末装置１１の見映えは向上する。しかも、ディスプレイ用筐体１５の容積はこれまで以上に低減されることができる。ディスプレイ用筐体１５すなわち携帯電話端末装置１１の小型化は実現されることができる。
【００２７】
その一方で、第１姿勢から直立軸２４回りでディスプレイ用筐体１５が１８０度の相対回転角で本体筐体１４に対して回転すると、図６に示されるように、ディスプレイ用筐体１５は第３姿勢に至る。第３姿勢では、本体筐体１４の表面は正面を向くとともに、化粧面１５ａは正面を向く。使用者は、ＬＣＤパネル１７を見ながら自分自身にカメラレンズを向けることができる。
【００２８】
この第３姿勢から回転軸２３回りでディスプレイ用筐体１５が１６０度の相対回転角で本体筐体１４に対して回転すると、図７に示されるように、ディスプレイ用筐体１５は第４姿勢に至る。第４姿勢では、ディスプレイ用筐体１５の化粧面１５ａは本体筐体１４の表面に重ね合わせられる。携帯電話端末装置１１は折り畳まれる。
【００２９】
このとき、化粧面１５ａには窪みは形成されないことから、化粧面１５ａは突片２６を本体筐体１４の内部空間に向かって押し下げる。こうして突片２６は化粧面１５ａを検出することができる。突片２６は最小高さに位置決めされる。その一方で、弾性パッド２５は押し上げられる。図８に示されるように、弾性パッド２５の高さは増大する。弾性パッド１４は最大高さに位置決めされる。コイルばね３４は収縮する。コイルばね３４に弾性力は蓄積される。こうして弾性パッド２５はディスプレイ用筐体１５の回転動作に連動して変位する。化粧面１５ａは弾性パッド２５に受け止められる。本体筐体１４およびディスプレイ用筐体１５の間には所定の隙間が保持される。本体筐体１４の表面およびディスプレイ用筐体１５の表面は同一方向に向きつつ相互に平行に規定される。携帯電話端末装置１１の操作性は損なわれない。このとき、携帯電話端末装置１１の使用者は、撮像対象物にカメラレンズを向けながら、カメラレンズの光軸上でＬＣＤパネル１７の画面を確認することができる。
【００３０】
この第４姿勢から回転軸２３回りでディスプレイ用筐体１５が１６０度の相対回転角で本体筐体１４に対して回転すると、ディスプレイ用筐体１５は第３姿勢に復帰する。突片２６はコイルばね３４の弾性力に基づき押し上げられる。突片２６は最大高さに位置決めされる。同時に、弾性パッド２５は押し下げられる。弾性パッド２５は最小高さに位置決めされる。
【００３１】
以上のような携帯電話端末装置１１では、ディスプレイ用筐体１５の回転動作に連動して弾性パッド２５は変位することができる。第１姿勢や第３姿勢のディスプレイ用筐体１５に対して弾性パッド２５は差し障りのない位置に位置決めされることができる。すなわち、携帯電話端末装置１１の操作に差し障りのない位置に位置決めされることができる。ディスプレイ用筐体１５が第３姿勢から第４姿勢に至ると、第４姿勢のディスプレイ用筐体１５に対して最適な位置に弾性パッド２５は移動することができる。こういった変位に基づき弾性パッド２５の利用範囲は拡大する。
【００３２】
しかも、携帯電話端末装置１１では、直立軸２４回りの回転に応じて、ディスプレイ用筐体１５はその表面で本体筐体１４に重ね合わせられることができると同時にその裏面すなわち化粧面１５ａで本体筐体１４に重ね合わせられることができる。ディスプレイ用筐体１５の表面は平坦面で構成されることから、ディスプレイ用筐体１５の表面が本体筐体１４に重ね合わせられると、弾性パッド２５は最小高さで十分にディスプレイ用筐体１５の表面を受け止めることができる。その一方で、化粧面１５ａが本体筐体１４に重ね合わせられると、突片２６の働きに応じて駆動機構２８は弾性パッド２５の高さを増大させる。その結果、化粧面１５ａは確実に弾性パッド２５に受け止められる。このとき、化粧面１５ａと本体筐体１４との衝突は確実に防止されることができる。化粧面１５ａの傷つきは阻止される。
【００３３】
図９は、本発明の第２実施形態に係る携帯電話端末装置１１ａの構造を概略的に示す。この携帯電話端末装置１１ａでは、弾性パッド２５の変位にあたって駆動機構すなわち電磁ソレノイド３６が用いられる。電磁ソレノイド３６は例えばコイルと永久磁石とから構成されればよい。電磁ソレノイド３６は、コイルに供給される電力に応じて弾性パッド２５の高さを増減させることができる。こうして弾性パッド２５は最小高さおよび最大高さで位置決めされる。電磁ソレノイド３６はプリント基板上のＣＰＵに接続される。なお、前述の第１実施形態と均等な構成や構造には同一の参照符号が付される。
【００３４】
電磁ソレノイド３６にはセンサ３７が関連付けられる。センサ３７は、本体筐体１４に組み込まれる磁力センサ３８と、ディスプレイ用筐体１５に組み込まれる永久磁石３９とを備える。磁力センサ３８は、所定の範囲で永久磁石３９から作用する磁界を検出することができる。ここでは、所定の範囲は、例えば第２姿勢のディスプレイ用筐体１５の表面付近まで広がる範囲で規定される。磁力センサ３８には、例えば磁界が作用すると電流が流れるコイル素子が用いられればよい。磁力センサ３８はプリント基板上のＣＰＵに接続される。永久磁石３９は化粧面１５ａの内壁に固定される。
【００３５】
図１０に示されるように、ディスプレイ用筐体１５が本体筐体１４に対して第２姿勢をとると、磁力センサ３８および永久磁石３９は最大距離で離れる。このとき、永久磁石３９の磁界は磁力センサ３８に作用しない。その結果、永久磁石３９の磁界は磁力センサ３８で検出されない。このとき、電磁ソレノイド３６に電力の供給は停止される。弾性パッド２５は最小高さで位置決めされる。前述と同様に、ディスプレイ用筐体１５の表面は弾性パッド２５に受け止められる。
【００３６】
その一方で、図１１に示されるように、ディスプレイ用筐体１５が本体筐体１４に対して第４姿勢をとると、磁力センサ３８および永久磁石３９は最短距離に近づく。このとき、永久磁石３９の磁界は磁力センサ３８に作用する。その結果、磁力センサ３８は永久磁石３９の磁界を検出することができる。こうしてセンサ３７は化粧面１５ａを検出する。センサ３７はＣＰＵに検出信号を送り出す。検出信号に基づきＣＰＵは電磁ソレノイド３６に電力を供給する。弾性パッド２５は最大高さで位置決めされる。前述と同様に、化粧面１５ａは弾性パッド２５に受け止められる。こうした携帯電話端末装置１１ａは、前述の第１実施形態と同様な作用効果を奏することができる。
【図面の簡単な説明】
【００３７】
【図１】本発明の第１実施形態に係る電子機器すなわち携帯電話端末装置の外観を概略的に示す斜視図である。
【図２】第１姿勢のディスプレイ用筐体を概略的に示す正面図である。
【図３】駆動機構の構造を概略的に示す部分断面図である。
【図４】第２姿勢のディスプレイ用筐体を概略的に示す正面図である。
【図５】ディスプレイ用筐体の表面が弾性パッドに受け止められる状態を概略的に示す側面図である。
【図６】第３姿勢のディスプレイ用筐体を概略的に示す正面図である。
【図７】第４姿勢のディスプレイ用筐体を概略的に示す正面図である。
【図８】ディスプレイ用筐体の裏面が弾性パッドに受け止められる状態を概略的に示す側面図である。
【図９】本発明の第２実施形態に係る電子機器すなわち携帯電話端末装置を概略的に示す側面図である。
【図１０】ディスプレイ用筐体の表面が弾性パッドに受け止められる状態を概略的に示す側面図である。
【図１１】ディスプレイ用筐体の裏面が弾性パッドに受け止められる状態を概略的に示す側面図である。
【符号の説明】
【００３８】
１１  電子機器（携帯電話端末装置）、１４  第１筐体（本体筐体）、１５  第２筐体（ディスプレイ用筐体）、１５ａ  化粧面、１７  平面ディスプレイパネル（液晶ディスプレイパネル）、２２  二軸回り回転機構、２３  回転軸、２４  直立軸、２５  弾性パッド、２６  センサ（突片）、２８  駆動機構、３６  駆動機構（電磁ソレノイド）、３７  センサ。
【図１】
2006157312.tif 000003
【図２】
2006157312.tif 000004
【図３】
2006157312.tif 000005
【図４】
2006157312.tif 000006
【図５】
2006157312.tif 000007
【図６】
2006157312.tif 000008
【図７】
2006157312.tif 000009
【図８】
2006157312.tif 000010
【図９】
2006157312.tif 000011
【図１０】
2006157312.tif 000012
【図１１】
2006157312.tif 000013